(57)【要約】【課題】第１に、雪解け水の再凍結、その他の流水の凍結が防止され、もって、流水の流れが確実に形成されると共に、第２に、しかもフレキシブル性，汎用性に優れ、もって、各種の流水凍結パターンに広く適用可能な、凍結防止用のフレキシブル流水路具を提案する。【解決手段】このフレキシブル流水路具１は、例えば寒冷地の家屋で使用され、長尺状をなし、ヒーター２とチューブカバー３を有している。ヒーター２は、フレキシブル性を備えた略線状や扁平帯状をなし、防水絶縁材で被覆されている。チューブカバー３は、樹脂シート製や金属シート製よりなり、フレキシブル性を備えた角状，円状，又は扁平状の筒形をなすと共に、多数の孔４が穿設されている。そして、ヒーター２がチューブカバー３に内挿されると共に、ヒーター２とチューブカバー３間に、隙間空間５が存している。【選択図】図１
2008031807.tif 000002
【特許請求の範囲】
【請求項１】
流水の凍結防止用のフレキシブル流水路具であって、長尺状をなし、ヒーターとチューブカバーを有しており、
該ヒーターは、フレキシブル性を備えた略線状や扁平帯状をなし、防水絶縁材で被覆されており、該チューブカバーは、樹脂シート製や金属シート製よりなり、フレキシブル性を備えた角状，円状，又は略扁平状の筒形をなすと共に、多数の孔が穿設されており、
該ヒーターが、該チューブカバーに内挿されると共に、該ヒーターと該チューブカバー間に、隙間空間が存していること、を特徴とする、凍結防止用のフレキシブル流水路具。
【請求項２】
請求項１に記載したフレキシブル流水路具であって、寒冷地の建造物にて使用され、雪解け水を流水として下流へと流す樋や溝等の管路内に配設されており、該雪解け水の再凍結を防止し、
該チューブカバーの孔は、該雪解け水の流入用として使用され、該雪解け水は、少なくとも該チューブカバー内の該隙間空間内を流れること、を特徴とする、凍結防止用のフレキシブル流水路具。
【請求項３】
請求項２に記載したフレキシブル流水路具であって、該ヒーターは、赤外線も輻射可能となっており、隣接する積雪を熱伝導等により融雪可能であると共に、それより遠い積雪を赤外線の熱線照射により融雪可能となっていること、を特徴とする、凍結防止用のフレキシブル流水路具。
【請求項４】
請求項２に記載したフレキシブル流水路具であって、該管路は、縦方向ではなく横方向に配されており、該チューブカバーの孔は、該チューブカバーの下部ではなく上部のみに穿設されていること、を特徴とする、凍結防止用のフレキシブル流水路具。
【請求項５】
請求項１に記載したフレキシブル流水路具であって、寒冷地の建造物や屋外にて使用され、水路用の管路について、トラップやＬ字状等の屈曲箇所の外側、その他の箇所の外側に巻回や添設されており、
該チューブカバーの孔は、該ヒーターの熱の外部放熱用や、該チューブカバー内の乾燥用として使用されること、を特徴とする、凍結防止用のフレキシブル流水路具。
【請求項６】
請求項１に記載したフレキシブル流水路具であって、寒冷地にて使用され、水路用の管路内に配設されており、該管路は、略筒状をなすと共に、少なくとも内部に凹凸が螺状に形成されており、流水が、該管路内を略回転渦流となって流れること、を特徴とする、凍結防止用のフレキシブル流水路具。
【請求項７】
請求項１に記載したフレキシブル流水路具であって、建造物と外部間のドア，窓，その他の開口部に対し、その上部に位置する軒下に配設されており、該開口部から該軒下付近に上昇，付着した水分の凍結や氷柱化を防止すること、を特徴とする、凍結防止用のフレキシブル流水路具。
【発明の詳細な説明】
【技術分野】
【０００１】
本発明は、流水の凍結防止用のフレキシブル流水路具に関する。すなわち、寒冷地で使用され、例えば雪解け水を、再凍結を防止しつつ下流へと流す、フレキシブル流水路具に関するものである。
【背景技術】
【０００２】
《技術的背景》
例えば、寒冷地の家屋等では、積雪を融雪せしめて流下させることが、大きなテーマとなっている。
すなわち降雪地域では、屋根やバルコニーの積雪を、日照，面ヒーター，温水等を利用して融雪せしめると共に、融雪した雪解け水を、途中で再凍結することなく溝や樋を介して、マンホールや下水まで流下，排水させることが、必要である。
【０００３】
《従来技術》
そこで、これに関する融雪対策が、従来より各種提案されている。例えば、屋根，バルコニー，樋，溝等の位置，形状，傾斜等を工夫したり、面ヒーターやカバーを付設したりする技術が、色々開発されている。
【０００４】
《先行技術文献情報》
このような従来技術としては、例えば、次の特許文献１，２，３中に示されたものが、挙げられる。
【０００５】
【特許文献１】特開平６−４２１２４号公報
【特許文献２】特開２０００−２８２６３６号公報
【特許文献３】特開２００５−１５５２２２号公報
【発明の開示】
【発明が解決しようとする課題】
【０００６】
ところで、このような従来例については、次の問題が指摘されていた。
《第１の問題点》
第１に、依然として雪解け水の再凍結が発生する等、従来の融雪対策では不十分との指摘があった。
例えば、樋については、その位置，形状，傾斜等を工夫したり、カバー等を付設したり、カバーをヒーター付としたもの、等々が提案されていたが、まだ十分ではなかった。すなわち雪解け水が、樋の途中の日陰箇所等で再凍結してしまい、スムーズにマンホールや下水まで排水，流下されない事故が、多発していた。
更に例えば、家屋や屋外の水路用の管路においても、流水が途中で凍結してしまう事故が発生する等、問題となっていた。
【０００７】
《第２の問題点》
第２に、これまでの各融雪対策は、それぞれの専用品や専用部品の開発，付設の観点から行われており、汎用性，フレキシブル性に乏しい、との指摘があった。
例えば、この種従来例の樋関係では、樋専用で各種工夫を施したり、樋専用のカバーを固設したり、樋専用のヒーター付カバーを固設したりすること、等が提案されていたが、いずれも、樋専用であると共に、それぞれ特定パターン，特定箇所用の専用品や専用部品として、開発，固設，付設されるものよりなっていた。
これに対し、特定の樋以外の各種の流水凍結パターンに対し、広く適用可能な汎用品，フレキシブル品の登場が待たれていた。例えば、家屋等の樋のみならず、その他各種の管路や、屋外の水路等にも、広く使用可能な汎用品，フレキシブル品の開発が、切望されていた。
【０００８】
《本発明について》
本発明の凍結防止用のフレキシブル流水路具は、このような実情に鑑み、上記従来例の課題を解決すべくなされたものである。
そして本発明は、第１に、雪解け水，その他の流水の凍結が防止され、もって流水の流れが確実に形成されると共に、第２に、フレキシブル性，汎用性に優れ、もって各種の流水凍結パターンに広く適用可能な、凍結防止用のフレキシブル流水路具を提案することを、目的とする。
【課題を解決するための手段】
【０００９】
《請求項について》
このような課題を解決する本発明の技術的手段は、次のとおりである。
請求項１については次のとおり。請求項１の凍結防止用のフレキシブル流水路具は、流水の凍結防止用に用いられ、長尺状をなし、ヒーターとチューブカバーを有している。
該ヒーターは、フレキシブル性を備えた略線状や扁平帯状をなし、防水絶縁材で被覆されている。該チューブカバーは、樹脂シート製や金属シート製よりなり、フレキシブル性を備えた角状，円状，又は略扁平状の筒形をなすと共に、多数の孔が穿設されている。
そして該ヒーターが、該チューブカバーに内挿されると共に、該ヒーターと該チューブカバー間に、隙間空間が存していること、を特徴とする。
【００１０】
請求項２については次のとおり。請求項２の凍結防止用のフレキシブル流水路具は、請求項１において、寒冷地の建造物にて使用され、雪解け水を流水として下流へと流す樋や溝等の管路内に配設されており、該雪解け水の再凍結を防止する。そして、該チューブカバーの孔は、該雪解け水の流入用として使用され、該雪解け水は、少なくとも該チューブカバー内の該隙間空間内を流れること、を特徴とする。
請求項３については次のとおり。請求項３の凍結防止用のフレキシブル流水路具は、請求項２において、該ヒーターが、赤外線も輻射可能となっている。そして、隣接する積雪を熱伝導等により融雪可能であると共に、それより遠い積雪を赤外線の熱線照射により融雪可能となっていること、を特徴とする。
請求項４については次のとおり。請求項４の凍結防止用のフレキシブル流水路具は、請求項２において、該管路が、縦方向ではなく横方向に配されている。そして、該チューブカバーの孔が、該チューブカバーの下部ではなく上部のみに穿設されていること、を特徴とする。
【００１１】
請求項５については次のとおり。請求項５の凍結防止用のフレキシブル流水路具は、請求項１において、寒冷地の建造物や屋外にて使用され、水路用の管路について、トラップやＬ字状等の屈曲箇所の外側、その他の箇所の外側に巻回や添設される。そして、該チューブカバーの孔は、該ヒーターの熱の外部放熱用や、該チューブカバー内の乾燥用として使用されること、を特徴とする。
請求項６については次のとおり。請求項６の凍結防止用のフレキシブル流水路具は、請求項１において、寒冷地にて使用され、水路用の管路内に配設されている。そして該管路は、略筒状をなすと共に、少なくとも内部に凹凸が螺状に形成されており、流水が、該管路内を略回転渦流となって流れること、を特徴とする。
請求項７については次のとおり。請求項６の凍結防止用のフレキシブル流水路具は、請求項１において、建造物と外部間のドア，窓，その他の開口部に対し、その上部に位置する軒下に配設されている。そして、該開口部から該軒下付近に上昇，付着した水分の凍結や氷柱化を防止すること、を特徴とする。
【００１２】
《作用等について》
本発明は、このような手段よりなるので、次のようになる。
（１）このフレキシブル流水路具は、孔付のチューブカバー内に、隙間空間を存してヒーターが内挿されている。
（２）そして、このフレキシブル流水路具は、雪解け水用の樋や溝等の管路内や、屋外水路用の管路内に、配設される使用形態が代表的である。
（３）この使用形態では、流水は、チューブカバーの各孔から内部に流入して、ヒーターにて暖められ、もって凍結が防止され、流れが確実に形成される。これと共に、チューブカバー外側の管路内の流水も、凍結が防止され流れが形成される。
（４）又、管路のトラップやＬ字状の屈曲箇所や直線箇所において、その外側に巻回や添設される使用形態も代表的である。
（５）この使用形態では、ヒーターにて暖められた暖気が、チューブカバーの孔から外部へと放熱される。そこで管路は、この暖気を始めとして、チューブカバーを介しヒーターにて暖められる。もって、管路内の流水は、凍結が防止され流れが確実に形成される。
【００１３】
（６）なお第１に、積雪対策としても使用される場合は、赤外線を幅射可能としておくと、隣接する積雪は熱伝導等により融雪され、より遠い積雪は赤外線により融雪される。
なお第２に、内部に螺状凹凸を備えた管路を使用すると、管路の剛性強度が向上すると共に、流水が回転渦流となって強力に流下するようになる。
なお第３に、建造物のドア，窓等の真上の軒下に配設すると、そこでの水分凍結や氷柱化が防止される。
（７）そして、このフレキシブル流水路具は、そのフレキシブル性に基づき、広く各種パターンで使用可能である。例えば、樋や溝にも屋外水路にも、その他各種の管路に使用可能である。その際、管路内側に配設したり、管路の外側に巻回したり添設することも、自在である。更に、管路の直線箇所，曲線箇所，折曲箇所等にも、適宜使用可能である。
（８）さてそこで、この凍結防止用のフレキシブル流水路具は、次の効果を発揮する。
【発明の効果】
【００１４】
《第１の効果》
第１に、雪解け水の再凍結、その他の流水の凍結が、確実に防止される。すなわち、本発明の凍結防止用のフレキシブル流水路具は、管路内に配設されたり管路外側に巻回や添設され、もって管路内において、下流への流水の流れが確実に形成される。
そこで、前述したこの種従来例に比し、雪解け水の途中での再凍結事故が防止され、マンホールや下水までスムーズに排水，流下されるようになり、水路用の管路の途中凍結事故も回避される。
なお、隣接する積雪は熱伝導等により、遠い積雪は赤外線により、融雪可能とすることも考えられる。又、内部に螺状凹凸付の管路の場合は、その剛性強度と流水の流下促進面に優れている。更に、ドア，窓等の軒下に設けると、氷柱等が防止されるようになる。
【００１５】
《第２の効果》
第２に、フレキシブル性，汎用性に優れており、各種の流水凍結パターンに広く適用可能である。すなわち、本発明の凍結防止用のフレキシブル流水路具は、各種対象の流水凍結対策用に広く適用，使用可能である。
前述したこの種従来例のように、例えば特定の樋専用に限定される等、特定パターン，特定箇所の融雪対策用の専用品，専用部品ではなく、広く各種パターン，色んな箇所に適用可能な汎用品よりなる。
このように、この種従来例に存した課題がすべて解決される等、本発明の発揮する効果は、顕著にして大なるものがある。
【発明を実施するための最良の形態】
【００１６】
《図面について》
以下、本発明の凍結防止用のフレキシブル流水路具を、図面に示した発明を実施するための最良の形態に基づいて、詳細に説明する。図１〜図４は、本発明を実施するための最良の形態の説明に供する。
そして、図１の（１）図は、その第１例の平面図、（２）図は、同第１例の正断面図である。（３）図は、第２例の正断面図、（４）図は、第３例の正断面図である。（５）図は、第４例の斜視図である。
図２の（１）図は、その第１使用例の正断面図、（２）図は、同第１使用例の平面図である。（３）図は、第２使用例の正断面図、（４）図は、第３使用例の正断面図である。
図３の（１）図は、その第４使用例の側面図、（２）図は、第５使用例の側面図である。（３）図は、第６使用例の側面図、（４）図は、第７使用例の側面図である。
図４の（１）図は、その第８使用例の正面図、（２）図は、同第８使用例の側面図である。
【００１７】
《本発明の基本構成について》
まず、図１の各図を参照して、本発明のフレキシブル流水路具１の基本構成について、説明する。このフレキシブル流水路具１は、長尺状をなし、ヒーター２とチューブカバー３を有している。
ヒーター２は、フレキシブル性を備え、略線状や扁平帯状をなし、防水絶縁材で被覆されている。チューブカバー３は、樹脂シート製や金属シート製よりなり、フレキシブル性を備えた角状，円状，又は略扁平状の筒形をなすと共に、多数の孔４が穿設されいる。そしてヒーター２が、チューブカバー３内に内挿されると共に、ヒーター２とチューブカバー３間に、隙間空間５が存している。
【００１８】
このような本発明の基本構成について、更に詳述する。まず、フレキシブル流水路具１のヒーター２は、図１の（１）図〜（４）図の各例に示したように、略扁平帯状つまり長い面状をなすか、図１の（５）図の例に示したように、略線状をなす。
そしてヒーター２は、ニクロム，ステンレス，カーボン，その他の抵抗発熱線を、例えばモールド用のシリコン樹脂やアルミ箔等、耐熱樹脂製や金属製の防水絶縁材で、層状に被覆してなり、全体的にフレキシブル性，可橈性を備えている。６は、給電用の電気配線であり、コネクターを介してヒーター２に接続されている。
【００１９】
次に、フレキシブル流水路具１のチューブカバー３は、図１の（１）図，（２）図の例のように、略扁平筒形状をなすか、図１の（３）図〜（５）図の例のように、円形筒形状をなすか、四角筒形状，その他の角筒形状をなす（図示せず）。
そしてチューブカバー３は、オレフィン系樹脂，その他の軟質樹脂シート製や、アルミ箔，その他の金属シート製よりなり、全体的にフレキシブル性，可橈性を備えると共に、耐酸性も備えている。そして全体的に、一定ピッチで多数の孔４が穿設されており、この孔４は、外部から内部の隙間空間５への水の流入用、又は、内部の隙間空間５から外部への暖気や湿気の放熱，放出用として、機能する。
そこで孔４は、このような機能を十分に発揮可能とする観点から、その数，大きさ，形状等が設定されるが、更にこれと共に、外部の異物例えばゴミ，チリ，枯葉，枯枝等が、内部の隙間空間５に流入しないようにする観点からも、（これらが原因となって隙間空間５が詰まったりしないように、）その数，大きさ，形状等が設定される。
このような両観点から、孔４は、例えば円，楕円，星形等の形状に設定されるが、後者の観点をより重視すべき場合は、金網が、隙間空間５外側つまりチューブカバー３内面側に、全体的に添装される。
【００２０】
そして、このフレキシブル流水路具１では、このような孔４付のチューブカバー３内に、ヒーター２が内挿されている。そして、外側のチューブカバー３と内側のヒーター２間には、隙間空間５が形成されており、隙間空間５は、流水用や暖気通過用等として機能する。
この隙間空間５は、図１の（３）図〜（５）図に示した例では、広目空間として、図１の（１）図，（２）図に示した例では、狭目空間として形成されている。
なお隙間空間５は、チューブカバー３とヒーター２間において、部分的に形成されていれば必要十分である。特に狭目空間として形成される場合は、チューブカバー３とヒーター２間について、隙間空間５が存せずに当接，接触される箇所が、部分的に存しても更には大部分であっても、結構である。要は、長手方向に部分的に連通する隙間空間５が、存していれば良い。
図１の（３）図，（４）図中、７は、チューブカバー３とヒーター２間に介装されるスプリングである。本発明のフレキシブル流水路具１は、このようになっている。
【００２１】
《本発明の使用形態その１について》
次に、図２〜図４を参照して、本発明のフレキシブル流水路具１の各使用形態について、説明する。
まず、図２や図４に示したフレキシブル流水路具１は、寒冷地の家屋等の建造物Ａにて使用され、雪解け水を下流へと流す樋Ｂや溝Ｃ等の管路Ｄ内に配設されて、雪解け水の再凍結を防止する。チューブカバー３の孔４は、雪解け水の流入用として使用され、雪解け水は、少なくともチューブカバー３内の隙間空間５を流れるようになる。
すなわち、樋Ｂは縦や横に配され、溝ＣはベランダＥの端等に配されており、屋根ＦやベランダＥの積雪Ｇは、雪解け水となって樋Ｂや溝Ｃ等の管路Ｄ内を流れて、地面Ｈ下のマンホールＪや下水へと、流下，排水されるようになっている。
そしてフレキシブル流水路具１は、このような樋Ｂや溝Ｃ等の管路Ｄ内に、挿入や敷設されており、もって、流下する雪解け水の再凍結が防止されるようになる。
特に、孔４からチューブカバー３内側に流入した雪解け水は、ヒーター２により、直接的な熱伝導を中心に熱伝達や熱対流によっても暖められ、もって再凍結が確実に防止されて、隙間空間５内を下流へと流下して行く。勿論、チューブカバー３外側の管路Ｄ内の雪解け水も、ヒーター２により間接的ではあるが暖められるので、再凍結がほぼ防止されて、下流へと流下して行くようになる。
【００２２】
《本発明の使用形態その２について》
このフレキシブル流水路具１のヒーター２は、赤外線も輻射可能としておくことが考えられ、この場合は、隣接する近くの積雪Ｇを、熱伝導等により融雪可能であると共に、それより遠くの積雪を、赤外線の熱線照射により融雪可能となる。
すなわち、ヒーター２の前述した防水絶縁材自体について、又は防水絶縁材の外表面について、赤外線特に遠赤外線の放射特性の高い素材を混入，塗布，表面処理，又はフィルム圧着しておくことが考えられる。例えば、シリカ，カーボン，ＰＥＴ樹脂，その他の遠赤外線放射物質を含有すべく、遠赤処理しておくことが考えられる。
これにより、ヒーター２の抵抗発熱線が発熱すると、加熱されて、熱線である赤外線を大量に輻射可能となる。
そこで、図２の（３）図，（４）図の例に示したように、積雪Ｇが予想されるベランダＥの溝Ｃや、横方向に配された樋Ｂについて、このように赤外線を輻射可能としておくと、その上位の積雪Ｇは、直接的な熱伝導更には熱伝達や熱対流により、その外側等の積雪Ｇは、赤外線による熱線照射により、それぞれ融雪可能となる。勿論、融雪した雪解け水は、前述により再凍結が防止されつつ、流下して行く。
なお、図３の（３）図中８は、ベランダＥ床面や溝Ｃ床面に敷設された面ヒーターである。
【００２３】
《本発明の使用形態その３について》
次に、このフレキシブル流水路具１が、水平，横向きの管路Ｄ内に配設される場合については、次のとおり。この場合、管路Ｄは、縦方向ではなく横方向に配されているので、フレキシブル流水路具１のチューブカバー３の孔４は、チューブカバー３の下部ではなく、上部のみに穿設しておくと良い。
すなわちこの場合、チューブカバー３に穿設される孔４は、例えば図１の（２）図，（３）図の例に示したように、その上部と下部の両方ではなく、例えば図１の（４）図，図２の（３）図，（４）図等の例に示したように、上部のみについて穿設しておく。すると、上部の孔４からチューブカバー３内の隙間空間５へ流入した水が、下部の孔４から流出し，抜け出してしまう可能性がなくなる。もって凍結が防止された流水が、隙間空間５内をスムーズに流下して行くようになる。
【００２４】
《本発明の使用形態その４について》
次に、図３の（１）図〜（３）図に示した例について述べる。この例のフレキシブル流水路具１は、寒冷地の建造物Ａ（図４を参照）や屋外にて使用される。
そして、水路用の管路Ｄについて、図３の（３）図に示したように、トイレや洗面台下のトラップやＬ字状等の屈曲箇所の外側や、図３の（１）図，（２）図に示したように、直線箇所の外側に、巻回や添設されている。図３の（１）図の例では、直線的な管路Ｄの下側に添設され、図３の（２）図，（３）図の例では、巻回されている。
これらの場合、チューブカバー３の孔４は、ヒーター２の熱の外部放熱用、つまり隙間空間５を介した熱対流，更には熱伝達，熱伝導による外部放熱用として、（更には、チューブカバー３内，隙間空間５，ヒーター２等の乾燥用として、）使用される。そして、前述に準じ、熱伝導，熱対流，熱伝達等により、管路Ｄを流れる流水の凍結が防止される。
【００２５】
《本発明の使用形態その５について》
次に、図３の（４）図に示した例について述べる。この例のフレキシブル流水路具１は、寒冷地にて使用され、水路用の管路Ｄ内に配設されている。そして、この管路Ｄは、略筒状をなすと共に、少なくとも内部に凹凸９が螺状に形成されており、流水は、管路Ｄ内を略回転渦流となって流れる。
すなわち、この管路Ｄは、例えば寒冷地の農業用水のための管路Ｄの一部として、使用される。まず、畑の下等においては、管路Ｄとして、通常のシームレス管等が地面Ｈ下に埋め込み使用されると共に、フレキシブル流水路具１が内部配設，外側巻回，又は外側添設される。これに対し、歩道，車道等の道路の地面Ｈ下の埋め込み使用については、図３の（４）図に図示した管路Ｄが使用される。
そして、この管路Ｄは、凹凸９の螺状形状により、剛性強度に優れると共に、水が略回転渦流となって流れるので、流水の流下効率にも優れている。そして、このような管路Ｄ内にフレキシブル流水路具１が配設されており、前述した所に準じ流水の凍結が防止されるようになる。
【００２６】
《本発明の使用形態その６について》
更に、このフレキシブル流水路具１は、建造物Ａと外部間のドアＫ，窓Ｌ，その他の開口部Ｍに対し、その上部に位置する軒下Ｎに配設し（図４の（１）図を参照）、もって、開口部Ｍから軒下Ｎ付近に上昇，付着した水分の凍結や氷柱化を防止すべく、使用することが考えられる。
すなわち、開口部Ｍからは、その開放に際して、室内の水分，水蒸気等が、外部に漏れて上昇して、真上の軒下Ｎに付着し、もって凍結して氷柱化することが知られている。そこで、このような軒下Ｎに、このフレキシブル流水路具１を付設，配設しておくことにより、その熱伝導，熱対流，熱伝達等により、付着した水分，水蒸気の凍結，氷柱化が防止されるようになる。
なお、図３の（１）図や図４の（２）図において、１０は樋Ｂのホルダーであり、図３の（１）図のフレキシブル流水路具１は、このホルダー１０を利用して、樋Ｂに添設されている。
【００２７】
《作用等》
本発明の凍結防止用のフレキシブル流水路具１は、以上説明したように構成されている。そこで、以下のようになる。
（１）このフレキシブル流水路具１の基本構成は、孔４付のチューブカバー３内に、隙間空間５を存してヒーター２を内挿したことにある（図１の各図の例を参照）。
【００２８】
（２）そして、このフレキシブル流水路具１は、まず、次の使用形態が代表的である。すなわち、雪解け水用の樋Ｂや溝Ｃ等、建造物Ａの管路Ｄ内や、農業用水，その他の屋外の水路用の管路Ｄ内に、配設される使用形態が代表的である（図２の各図，図４の各図の例を参照）。
【００２９】
（３）この使用形態のフレキシブル流水路具１では、雪解け水，その他の流水が、チューブカバー３の各孔４から内部の隙間空間５内に流入して、ヒーター２にて暖められる。そして、熱伝導，熱伝達，熱対流等により、少なくとも隙間空間５内においては凍結防止され、もって下流への流水の流れが確実に形成される。
これと共に、チューブカバー３外側の管路Ｄ内の雪解け水，その他の流水も、これに準じて凍結が防止され、もって下流への流れが形成されるようになる。
【００３０】
（４）又、このフレキシブル流水路具１は、次の使用形態も代表的である。すなわち、建造物Ａ内や屋外の管路ＤのトラップやＬ字状の屈曲箇所，その他の直線箇所において、管路Ｄの外側に巻回や添設される、使用形態も代表的である（図３の（１）図〜（３）図の例を参照）。
【００３１】
（５）この使用形態のフレキシブル流水路具１は、ヒーター２にて暖められた内部の隙間空間５内の暖気が、チューブカバー３の孔４から外部へと放熱される。（なおその際、隙間空間５内の湿気も、外部へと放出される。）
そこで、巻回対象や添設対象の管路Ｄは、このように放熱された暖気を始めとして、チューブカバー３を介しヒーター２にて暖められる。もって、熱伝導，熱伝達，熱対流等により、管路Ｄ内の流水は、凍結が防止されて、下流への流れが確実に形成される。
【００３２】
（６）なお第１に、積雪対策としても使用される場合、このフレキシブル流水路具１について、赤外線特に遠赤外線を幅射可能としておくと良い（図２の（３）図，（４）図の例を参照）。この場合は、隣接する積雪Ｇは直接的な熱伝導等により、遠い積雪Ｇは赤外線幅射により、それぞれ融雪される。
なお第２に、内部に螺状の凹凸９を備えた管路Ｄを使用すると（図３の（４）図の例を参照）、管路Ｄの剛性強度が向上すると共に、流水が回転渦流となって強力に流下するようになり、フレキシブル流水路具１の作用がより効果的に発揮される。
なお第３に、このフレキシブル流水路具１は、建造物ＡのドアＫ，窓Ｌ，その他の開口部Ｍ上の軒下Ｎに配設すると（図４の（１）図の例を参照）、軒下Ｎでの水分凍結や氷柱化が防止される。
【００３３】
（７）そして、この凍結防止用のフレキシブル流水路具１は、フレキシブル性を備えたヒーター２と、同じくフレキシブル性を備えたチューブカバー３とを、組み合わせてなる。そこで、そのフレキシブル性に基づき、広く各種の使用形態で使用可能である。
すなわち、各種パターンの流水凍結対策用に、１種類のものであっても、広く適用，使用可能である。例えば、家屋等の樋Ｂや溝Ｃ等の管路Ｄ用に限らず、屋外の水路用の管路Ｄにも、その他各種の管路Ｄについても、広く使用可能である。
そしてその際、このような管路Ｄの内側に配設したり、外側に巻回したり外側に添設することも、そのいずれでも、状況に応じ自在に可能である。更に、このような管路Ｄについて、直線箇所にも曲線箇所にも折曲箇所にも、そのいずれについても、変わらず使用可能である。
【図面の簡単な説明】
【００３４】
【図１】本発明に係る凍結防止用のフレキシブル流水路具について、発明を実施するための最良の形態の説明に供し、（１）図は、その第１例の平面図、（２）図は、同第１例の正断面図である。（３）図は、第２例の正断面図、（４）図は、第３例の正断面図である。（５）図は、第４例の斜視図である。
【図２】同発明を実施するための最良の形態の説明に供し、（１）図は、その第１使用例の正断面図、（２）図は、同第１使用例の平面図である。（３）図は、第２使用例の正断面図、（４）図は、第３使用例の正断面図である。
【図３】同発明を実施するための最良の形態の説明に供し、（１）図は、その第４使用例の側面図、（２）図は、第５使用例の側面図である。（３）図は、第６使用例の側面図、（４）図は、第７使用例の側面図である。
【図４】同発明を実施するための最良の形態の説明に供し、（１）図は、その第８使用例の正面図、（２）図は、同第８使用例の側面図である。
【符号の説明】
【００３５】
１  フレキシブル流水路具
２  ヒーター
３  チューブカバー
４  孔
５  隙間空間
６  電気配線
７  スプリング
８  面ヒーター
９  凹凸
１０  ホルダー
Ａ  建造物
Ｂ  樋
Ｃ  溝
Ｄ  管路
Ｅ  ベランダ
Ｆ  屋根
Ｇ  積雪
Ｈ  地面
Ｊ  マンホール
Ｋ  ドア
Ｌ  窓
Ｍ  開口部
Ｎ  軒下
【図１】
2008031807.tif 000003
【図２】
2008031807.tif 000004
【図３】
2008031807.tif 000005
【図４】
2008031807.tif 000006